Podtech/llm-jp-corpus-v4-ja_patent huggingface dataset:
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
酸性ガスを処理する方法であって、
ａ）各アノード／カソード対が少なくとも１つのアノードと少なくとも１つのカソードとを含みかつ実質的に近接し連続して配列された２つ以上のアノード／カソード対と、前記アノードに近接する少なくとも１つの硫化物酸化微生物とを含む、嫌気性反応チャンバを提供する段階と、
ｂ）前記嫌気性反応チャンバ内に酸性ガスを流す段階と、
ｃ）前記２つ以上のアノード／カソード対に電圧を印加してアノードからカソードへの電子伝達を促進し、前記電子伝達がサワーガスの酸化を引き起こす段階と、
を含む方法。
【請求項２】
前記２つ以上のアノード／カソード対が鉛直方向に連続して配列されている、請求項１に記載の方法。
【請求項３】
水またはガスが前記嫌気性反応チャンバの中を上向きに流れるように前記嫌気性反応チャンバが配置されている、請求項１に記載の方法。
【請求項４】
前記２つ以上のアノード／カソード対に同じ電圧を印加する、請求項１に記載の方法。
【請求項５】
前記２つ以上のアノード／カソード対にそれぞれ複数の異なる電圧を印加する、請求項１に記載の方法。
【請求項６】
前記２つ以上のアノード／カソード対が、電源と直列または並列で電気的に接続されている、請求項１に記載の方法。
【請求項７】
前記２つ以上のアノード／カソード対が、それぞれ独立して電源に配線されている、請求項１に記載の方法。
【請求項８】
前記２つ以上のアノード／カソード対の各カソードに印加される電位が可変である、請求項１に記載の方法。
【請求項９】
前記カソードが、前記アノードの表面積よりも大きい表面積を含む、請求項１に記載の方法。
【請求項１０】
少なくとも１つの前記アノード／カソード対が、連続して配列された２つのカソードと１つのアノードとを含む、請求項９に記載の方法。
【請求項１１】
少なくとも１つの前記アノード／カソード対が、連続して配列された２つのアノードと１つのカソードとを含む、請求項１に記載の方法。
【請求項１２】
水またはガスがアノード、次いでカソードを通って上向きに流れるように前記２つ以上のアノード／カソード対それぞれの前記アノードと前記カソードが配列されている、請求項３に記載の方法。
【請求項１３】
前記アノード／カソード対それぞれの前記アノードと前記カソードが、バイオチャー、グラファイト粒、ステンレス鋼、ワイヤメッシュ、炭素メッシュ、炭素布、炭素繊維、炭素フェルトまたは炭素粒からなる群より選択される材料からなる、請求項１に記載の方法。
【請求項１４】
前記アノードとカソードが同じ材料からなる、請求項１３に記載の方法。
【請求項１５】
前記アノードとカソードが異なる材料からなる、請求項１３に記載の方法。
【請求項１６】
前記アノードが炭素メッシュ、炭素布、炭素繊維または炭素フェルトからなり、前記カソードがステンレス鋼からなる、請求項１５に記載の方法。
【請求項１７】
前記アノードまたはカソードが２種類以上の材料からなる、請求項１３に記載の方法。
【請求項１８】
前記アノードまたはカソードが、ステンレス鋼と炭素メッシュ、炭素布、炭素繊維もしくは炭素フェルトとの組合せ、またはワイヤメッシュと炭素メッシュ、炭素布、炭素繊維もしくは炭素フェルトとの組合せからなる、請求項１７に記載の方法。
【請求項１９】
前記アノード／カソード対それぞれの前記アノードとカソードが多孔性絶縁層により分離されている、請求項１に記載の方法。
【請求項２０】
前記多孔性絶縁層がプラスチック材料である、請求項１９に記載の方法。
【請求項２１】
前記アノードと前記カソードが前記多孔性絶縁層により支持されている、請求項１９に記載の方法。
【請求項２２】
前記アノードとカソードが前記多孔性絶縁層の両面に塗布されている、請求項２１に記載の方法。
【請求項２３】
前記嫌気性反応チャンバがフィルタをさらに含む、請求項１に記載の方法。
【請求項２４】
前記フィルタがバイオチャー、グラファイト粒または活性炭からなる、請求項２３に記載の方法。
【請求項２５】
少なくとも１つのメタン生成微生物をさらに含む、請求項１に記載の方法。
【請求項２６】
前記硫化物酸化微生物がシュードモナスの種である、請求項１に記載の方法。
【請求項２７】
前記シュードモナスの種がシュードモナス・プチダである、請求項２６に記載の方法。
【請求項２８】
前記２つ以上のアノード／カソード対が、支持ラック上で連続して配列されている、請求項１に記載の方法。
【請求項２９】
前記支持ラックが１本以上の導線を含む、請求項２８に記載の方法。
【請求項３０】
前記電圧が、前記支持ラックを通って前記２つ以上のアノード／カソード対の前記少なくとも１つのアノードと前記少なくとも１つのカソードに印加される、請求項２９に記載の方法。
【請求項３１】
前記酸性ガスが硫化水素である、請求項１に記載の方法。
【請求項３２】
少なくとも１つの前記アノード／カソード対が空気カソードを含む、請求項１に記載の方法。
【請求項３３】
前記嫌気性反応チャンバが、少なくとも１つの前記アノード／カソード対の前記アノードと前記カソードの間に配置された電子貯蔵装置をさらに含む、請求項１に記載の方法。
【手続補正２】
【補正対象書類名】明細書
【補正対象項目名】発明の名称
【補正方法】変更
【補正の内容】
【発明の名称】酸性ガスを処理する方法
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
始動条件の成立に基づき抽選を行い、該抽選の結果に基づいて遊技者に有利な特定遊技状態に制御しうる遊技機において、
遊技者により操作可能な複数の操作手段と、
遊技に関する演出を制御する演出制御手段と、を備え、
前記演出制御手段は、
前記特定遊技状態に制御されることを遊技者に通知していない秘匿状態にて、前記複数の操作手段のうちの特定操作手段に対する特定操作期間を発生させる特定操作期間発生手段と、
前記特定操作期間内であることを遊技者に通知していない状況下で前記特定操作手段に対する操作を受けることに基づいて、前記特定遊技状態に制御される可能性を示唆する特定示唆演出を実行する特定示唆演出実行手段と、を有し、
前記特定示唆演出実行手段は、前記特定操作期間にて前記特定操作手段に対する操作を受けると、前記秘匿状態における別演出の内容によって異なる実行態様で前記特定示唆演出を実行する
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
パチンコ機等の遊技機では、遊技機への興趣を高める工夫として、遊技者に遊技機に設けられた操作ボタンの操作を求め、あたかも操作の結果として利益が付与されたかのような演出を行うことで、遊技者の遊技への積極的関与を求めることが知られている（例えば、特許文献１参照）。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
しかしながら、従来と同様の構成では、徐々に演出への期待感が薄れ、ひいては演出への感心自体が低下してしまう。
【手続補正８】
【補正対象書類名】明細書
【補正対象項目名】０００９
【補正方法】変更
【補正の内容】
【０００９】
本発明は、以上のような従来技術の課題に基づいてなされたものであり、その目的は、演出への興味を惹き付け、遊技への興趣心を向上させることのできる遊技機を提供することにある。
【手続補正９】
【補正対象書類名】明細書
【補正対象項目名】００１０
【補正方法】変更
【補正の内容】
【００１０】
上記課題を解決するため、本発明は以下のような構成を有する。
始動条件の成立に基づき抽選を行い、該抽選の結果に基づいて遊技者に有利な特定遊技状態に制御しうる遊技機において、
遊技者により操作可能な複数の操作手段と、
遊技に関する演出を制御する演出制御手段と、を備え、
前記演出制御手段は、
前記特定遊技状態に制御されることを遊技者に通知していない秘匿状態にて、前記複数の操作手段のうちの特定操作手段に対する特定操作期間を発生させる特定操作期間発生手段と、
前記特定操作期間内であることを遊技者に通知していない状況下で前記特定操作手段に対する操作を受けることに基づいて、前記特定遊技状態に制御される可能性を示唆する特定示唆演出を実行する特定示唆演出実行手段と、を有し、
前記特定示唆演出実行手段は、前記特定操作期間にて前記特定操作手段に対する操作を受けると、前記秘匿状態における別演出の内容によって異なる実行態様で前記特定示唆演出を実行する
ことを特徴とする遊技機。
【手続補正１０】
【補正対象書類名】明細書
【補正対象項目名】００１１
【補正方法】変更
【補正の内容】
【００１１】
以上のような本発明によれば、遊技者の演出に対する興味を高め、遊技への興趣心の向上に繋げることができる。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が前面に形成され、前後方向に貫通する開口を有する透明板状の遊技パネルを備えた遊技機において、
前記透明板状の遊技パネルの開口から視認可能な表示領域を有する表示装置と、
前記透明板状の遊技パネルの開口下部に設けられ、所定のワープ入口に進入した遊技球が転動可能なステージ面を有するセンター役物と、
前記ステージ面の後方側であって、前記表示装置と前記センター役物との間に形成された配置空間に配置される可動体と、を備え、
前記可動体は、待機状態と、待機状態よりも上方に移動した移動状態とに変化可能であり、
前記センター役物には、前記ステージ面の奥側の奥側壁部と、前記奥側壁部の上部から前方側に向けて屈曲した天井壁部とを有する透明規制部が設けられ、前記天井壁部は、左右方向に所定の長さを有するとともに前記透明板状の遊技パネルの前面よりも前方側まで突出して設けられるものであって、
前記可動体が前記待機状態にあるときには、前記天井壁部よりも下方に少なくとも一部が位置するように当該可動体を設けるとともに、前記可動体が前記移動状態にあるときには、前記待機状態よりも多くの部分が前記天井壁部よりも上方に位置するように前記可動体を設けることで、前記透明規制部によって、前記遊技領域を流下する遊技球が前記透明板状の遊技パネルの開口を介して前記可動体の配置空間に侵入することを防止するとともに、当該透明規制部の前記天井壁部を基準にして前記可動体の前記待機状態と前記移動状態との間の変化量を認識しうるように構成した
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
このような遊技機では、様々な手法を利用して、遊技機への興趣を高める工夫がなされている。例えば、遊技機に操作ボタンを設けること等が知られている（例えば、特許文献１参照）。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
しかしながら、従来と同様の構成では、遊技への興趣心を向上させることが困難となってきていた。
【手続補正７】
【補正対象書類名】明細書
【補正対象項目名】０００９
【補正方法】変更
【補正の内容】
【０００９】
本発明は、以上のような従来技術の課題に基づいてなされたものであり、その目的は、遊技への興趣心を向上させることのできる遊技機を提供することにある。
【手続補正８】
【補正対象書類名】明細書
【補正対象項目名】００１０
【補正方法】変更
【補正の内容】
【００１０】
上記課題を解決するため、本発明は以下のような構成を有する。
遊技球が流下可能な遊技領域が前面に形成され、前後方向に貫通する開口を有する透明板状の遊技パネルを備えた遊技機において、
前記透明板状の遊技パネルの開口から視認可能な表示領域を有する表示装置と、
前記透明板状の遊技パネルの開口下部に設けられ、所定のワープ入口に進入した遊技球が転動可能なステージ面を有するセンター役物と、
前記ステージ面の後方側であって、前記表示装置と前記センター役物との間に形成された配置空間に配置される可動体と、を備え、
前記可動体は、待機状態と、待機状態よりも上方に移動した移動状態とに変化可能であり、
前記センター役物には、前記ステージ面の奥側の奥側壁部と、前記奥側壁部の上部から前方側に向けて屈曲した天井壁部とを有する透明規制部が設けられ、前記天井壁部は、左右方向に所定の長さを有するとともに前記透明板状の遊技パネルの前面よりも前方側まで突出して設けられるものであって、
前記可動体が前記待機状態にあるときには、前記天井壁部よりも下方に少なくとも一部が位置するように当該可動体を設けるとともに、前記可動体が前記移動状態にあるときには、前記待機状態よりも多くの部分が前記天井壁部よりも上方に位置するように前記可動体を設けることで、前記透明規制部によって、前記遊技領域を流下する遊技球が前記透明板状の遊技パネルの開口を介して前記可動体の配置空間に侵入することを防止するとともに、当該透明規制部の前記天井壁部を基準にして前記可動体の前記待機状態と前記移動状態との間の変化量を認識しうるように構成した
ことを特徴とする遊技機。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正書】
【提出日】平成28年7月15日(2016.7.15)
【手続補正１】
【補正対象書類名】明細書
【補正対象項目名】０００７
【補正方法】変更
【補正の内容】
【０００７】
本発明に係る遊技機は、遊技者に有利な特別遊技を行うか否かの特別遊技判定の結果に基づく一連の演出を実行する演出実行手段を備える遊技機であって、前記演出実行手段は、前記一連の演出において前記特別遊技判定の結果を示唆する予告演出を実行可能であり、前記予告演出として、第１演出と、前記第１演出よりも前記特別遊技が行われる信頼度が高い第２演出との両方を実行可能にし、前記第１演出の実行に応じて第１の表示を行い、前記第２演出の実行に応じて前記第１の表示とは異なる第２の表示を行い、前記第２演出には、演出態様が互いに異なる複数の演出があり、前記第２演出として前記複数の演出のうち何れが実行されても、前記第２の表示として同じ内容の表示が行われる。
【手続補正２】
【補正対象書類名】特許請求の範囲
【補正対象項目名】全文
【補正方法】変更
【補正の内容】
【特許請求の範囲】
【請求項１】
遊技者に有利な特別遊技を行うか否かの特別遊技判定の結果に基づく一連の演出を実行する演出実行手段を備える遊技機であって、
前記演出実行手段は、
前記一連の演出において前記特別遊技判定の結果を示唆する予告演出を実行可能であり、
前記予告演出として、第１演出と、前記第１演出よりも前記特別遊技が行われる信頼度が高い第２演出との両方を実行可能にし、
前記第１演出の実行に応じて第１の表示を行い、前記第２演出の実行に応じて前記第１の表示とは異なる第２の表示を行い、
前記第２演出には、演出態様が互いに異なる複数の演出があり、
前記第２演出として前記複数の演出のうち何れが実行されても、前記第２の表示として同じ内容の表示が行われる、遊技機。
【請求項２】
前記第１の表示は、前記第１演出が実行されるごとに変化する表示である、請求項１に記載の遊技機。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
始動領域への遊技媒体の進入に基づいて可変表示を実行し、遊技者にとって有利な有利状態に制御可能な遊技機であって、
未だ開始していない可変表示に関する情報を保留情報として記憶する保留記憶手段と、
可変表示を実行する可変表示実行手段と、
前記保留情報に対応して保留表示部に保留表示を表示する保留表示手段と、
前記保留表示手段が表示する保留表示の表示態様を決定する表示態様決定手段と、
前記保留表示手段が表示する保留表示を、一の表示態様から他の表示態様に変化させる表示態様制御手段と、
前記始動領域への遊技媒体の進入頻度が異なる低進入状態と高進入状態とに制御可能な進入状態制御手段とを備え、
前記表示態様制御手段は、
前記保留表示手段が表示する第１表示態様の保留表示に対応して、第１変化演出を実行することにより当該保留表示の表示態様を変化させる第１変化制御手段と、
前記保留表示手段が表示する第２表示態様の保留表示に対応して、第２変化演出を実行することにより当該保留表示の表示態様を変化させる第２変化制御手段とを含み、
前記表示態様決定手段は、前記保留表示手段が表示する複数の保留表示において、前記第１表示態様の保留表示と前記第２表示態様の保留表示とが同時に表示されないように保留表示の表示態様を決定し、
前記保留表示手段は、前記保留表示部において前記保留記憶手段が前記保留情報を所定の上限数まで記憶可能であることを示唆し、前記低進入状態と前記高進入状態とで態様を異ならせて前記保留表示部を表示する、遊技機。
【手続補正２】
【補正対象書類名】明細書
【補正対象項目名】０００７
【補正方法】変更
【補正の内容】
【０００７】
（１）  始動領域（例えば普通入賞球装置６Ａが形成する第１始動入賞口や普通可変入賞球装置６Ｂが形成する第２始動入賞口など）への遊技媒体（例えば遊技球など）の進入に基づいて可変表示（例えば特別図柄や飾り図柄などの可変表示）を実行し、遊技者にとって有利な有利状態（例えば大当り遊技状態など）に制御可能な遊技機（例えばパチンコ遊技機１など）であって、
未だ開始していない可変表示に関する情報を保留情報として記憶する保留記憶手段（例えば第１特図保留記憶部１５１Ａおよび第２特図保留記憶部１５１Ｂなど）と、
可変表示を実行する可変表示実行手段（例えばステップＳ１１２、Ｓ１１３の処理を実行するＣＰＵ１０３やステップＳ１７１、Ｓ１７２の処理を実行する演出制御用ＣＰＵ１２０など）と、
前記保留情報に対応して保留表示部に保留表示を表示する保留表示手段（例えばステップＳ３１０、Ｓ３２６の処理を実行する演出制御用ＣＰＵ１２０など）と、
前記保留表示手段が表示する保留表示の表示態様を決定する表示態様決定手段（例えばステップＳ３０７の処理やステップＳ３２２の保留変化演出決定処理を実行する演出制御用ＣＰＵ１２０など）と、
前記保留表示手段が表示する保留表示を、一の表示態様から他の表示態様に変化させる表示態様制御手段（例えばステップＳ３４３の処理を実行する演出制御用ＣＰＵ１２０など）と、
前記始動領域への遊技媒体の進入頻度が異なる低進入状態（例えば低ベース状態）と高進入状態（例えば高ベース状態）とに制御可能な進入状態制御手段とを備え、
前記表示態様制御手段は、
前記保留表示手段が表示する第１表示態様の保留表示（例えば保留表示画像ＤＨＡの表示など）に対応して、第１変化演出（例えばキャラクタＣＨ１による保留変化演出など）を実行することにより当該保留表示の表示態様を変化させる第１変化制御手段（例えば保留変化演出パターンＰＡＲ、ＰＡＧ、ＰＡＢのいずれかに基づいてステップＳ３４３の処理を実行する演出制御用ＣＰＵ１２０など）と、
前記保留表示手段が表示する第２表示態様の保留表示（例えば保留表示画像ＤＨＢの表示など）に対応して、第２変化演出（例えばキャラクタＣＨ２による保留変化演出など）を実行することにより当該保留表示の表示態様を変化させる第２変化制御手段（例えば保留変化演出パターンＰＢＲ、ＰＢＧ、ＰＢＢのいずれかに基づいてステップＳ３４３の処理を実行する演出制御用ＣＰＵ１２０など）とを含み、
前記表示態様決定手段は、前記保留表示手段が表示する複数の保留表示において、前記第１表示態様の保留表示と前記第２表示態様の保留表示とが同時に表示されないように保留表示の表示態様を決定し（例えば図１５を参照）、
前記保留表示手段は、前記保留表示部において前記保留記憶手段が前記保留情報を所定の上限数まで記憶可能であることを示唆し（例えば、図２７（Ａ）で示すように、始動入賞記憶表示エリア５Ｈは、それぞれ、保留台座Ｄ１，Ｄ２を４つ予め表示している保留台座領域５Ｄを含んでもよいし、４つ分の保留表示画像Ｈを表示可能なスペースが用意された領域であってもよい。）、前記低進入状態と前記高進入状態とで態様を異ならせて前記保留表示部を表示する（例えば、図２７（Ａ）で示すように、低ベース状態においては保留台座Ｄ１，Ｄ２を表示するが、図２７（Ｂ）で示すように、高ベース状態においては保留台座を表示しない。保留台座の表示態様を低ベース状態と高ベース状態とで異ならせるようにしてもよい。）。
【手続補正３】
【補正対象書類名】明細書
【補正対象項目名】０００９
【補正方法】変更
【補正の内容】
【０００９】
（２）  上記（１）の遊技機において、
前記保留表示手段は、前記所定の上限数の前記保留表示を表示させた場合のそれぞれの前記保留表示に対応する前記所定の上限数の上限示唆表示を、前記保留表示部に表示する（例えば、図２７（Ａ）で示すように、低ベース状態においては４つの保留台座Ｄ１，Ｄ２を表示する。）。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
始動条件が成立するとその後当選条件が成立しているか否かを判定し、前記当選条件が成立している場合には通常遊技状態から遊技者に有利な特別遊技状態に移行させる遊技制御手段と、
前記始動条件が成立すると、前記遊技制御手段の制御によって前記当選条件の成立状況に応じた演出動作を制御する演出制御手段と、
前記演出制御手段の制御によって、前記演出動作の一部としての映像の表示を実行する表示手段と、
前記映像の表示面を構成する、複数の素材画像夫々の画像データが予め常時記憶されている不揮発性メモリと、
前記不揮発性メモリから読み出した各素材画像の画像データに基づいて描画データを生成する描画制御手段と、
前記生成された描画データが格納されるフレームバッファと、
前記描画制御手段に、前記不揮発性メモリから読み出した各素材画像の画像データから描画データを生成させてこれを前記フレームバッファに格納させ、予め設定された表示周期ごとに、前記フレームバッファに格納された描画データに基づくフレームを前記表示手段に表示させる表示制御手段と、
を備え、
前記表示制御手段は、
前記各フレームに表されうる複数の素材画像との対応関係を予め定義した対応関係情報を管理する一方、
前記各フレームのうちの所定のフレームを表示させようとした際に前記対応関係情報を参照して前記所定のフレームに係る素材画像の表示制御をするとともに、
前記表示手段に表示させる前記フレームを、前記不揮発性メモリから素材画像の画像データを読み出す、読み出し性能に対応させて、前記フレームに対し、本来の表示周期よりも所定周期分遅らせて前記表示手段に表示させる
ことを特徴とする遊技機。
【手続補正２】
【補正対象書類名】明細書
【補正対象項目名】０００６
【補正方法】変更
【補正の内容】
【０００６】
上述した目的を達成するため、始動条件が成立するとその後当選条件が成立しているか否かを判定し、前記当選条件が成立している場合には通常遊技状態から遊技者に有利な特別遊技状態に移行させる遊技制御手段と、前記始動条件が成立すると、前記遊技制御手段の制御によって前記当選条件の成立状況に応じた演出動作を制御する演出制御手段と、前記演出制御手段の制御によって、前記演出動作の一部としての映像の表示を実行する表示手段と、前記映像の表示面を構成する、複数の素材画像夫々の画像データが予め常時記憶されている不揮発性メモリと、前記不揮発性メモリから読み出した各素材画像の画像データに基づいて描画データを生成する描画制御手段と、前記生成された描画データが格納されるフレームバッファと、前記描画制御手段に、前記不揮発性メモリから読み出した各素材画像の画像データから描画データを生成させてこれを前記フレームバッファに格納させ、予め設定された表示周期ごとに、前記フレームバッファに格納された描画データに基づくフレームを前記表示手段に表示させる表示制御手段と、を備え、前記表示制御手段は、前記各フレームに表されうる複数の素材画像との対応関係を予め定義した対応関係情報を管理する一方、前記各フレームのうちの所定のフレームを表示させようとした際に前記対応関係情報を参照して前記所定のフレームに係る素材画像の表示制御をするとともに、前記表示手段に表示させる前記フレームを、前記不揮発性メモリから素材画像の画像データを読み出す、読み出し性能に対応させて、前記フレームに対し、本来の表示周期よりも所定周期分遅らせて前記表示手段に表示させることを特徴とする。
【手続補正３】
【補正対象書類名】明細書
【補正対象項目名】０００８
【補正方法】変更
【補正の内容】
【０００８】
さらに具体的には、本発明に係る遊技機は、始動条件が成立するとその後当選条件が成立しているか否かを判定し、前記当選条件が成立している場合には通常遊技状態から遊技者に有利な特別遊技状態に移行させる遊技制御手段と、前記始動条件が成立すると、前記遊技制御手段の制御によって前記当選条件の成立状況に応じた演出動作を制御する演出制御手段と、前記演出制御手段の制御によって、前記演出動作の一部としての映像の表示を実行する表示手段と、前記映像の表示面を構成する、複数の素材画像夫々の画像データが予め常時記憶されている不揮発性メモリと、前記不揮発性メモリから読み出した各素材画像の画像データに基づいて描画データを生成する描画制御手段と、前記生成された描画データが格納されるフレームバッファと、前記描画制御手段に、前記不揮発性メモリから読み出した各素材画像の画像データから描画データを生成させてこれを前記フレームバッファに格納させ、予め設定された表示周期ごとに、前記フレームバッファに格納された描画データに基づくフレームを前記表示手段に表示させる表示制御手段と、所定のスケジューラデータに基づいて前記描画制御手段に前記画像データから描画データを生成させる描画管理手段と、各前記描画データに基づいて表示される各フレームと、前記各フレームに表されうる少なくとも１つの素材画像との対応関係を、前記少なくとも１つの素材画像の視覚的な秘匿状態を解除させる秘匿解除指令とともに、予め定義した対応関係情報が管理されている対応関係情報管理手段と、前記各フレームのうちの所定のフレームを表示させようとした際に前記対応関係情報を参照し、前記所定のフレームに含めて表すべき所定の素材画像を特定する素材画像特定手段と、前記スケジュールデータに従って前記所定のフレームに前記所定の素材画像を表すべき場合に前記対応関係情報を参照し、前記所定の素材画像に対応する秘匿解除指令を特定して前記描画制御手段に出力する秘匿解除指示手段と、を備え、前記描画制御手段は、前記表示制御手段の制御によって前記所定のフレームを表示させようとした際、前記秘匿解除指令を受け取っていない場合には、前記対応関係情報に基づき前記所定のフレームに含められうる前記所定の素材画像を前記秘匿状態としたままの表示態様とするための描画データを生成する一方、前記秘匿解除指令を受け取った場合には、前記秘匿解除指令を受け取ったことを契機として前記対応関係情報を参照して前記秘匿解除指令に対応する所定の素材画像を特定し、前記特定された所定の素材画像の秘匿状態を解除して前記所定の素材画像を視覚的に認識しうる表示態様とするための描画データを生成し、前記表示制御手段は、前記表示手段に表示させる前記フレームを、前記不揮発性メモリから素材画像の画像データを読み出す、読み出し性能に対応させて、前記フレームに対し、本来の表示周期よりも所定周期分遅らせて前記表示手段に表示させることを特徴とする。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
栽培用の液体が注入される断面形状が凹形状の凹部を有する栽培ベッドに栽培プレートを配置して構成した栽培ユニットを有する植物栽培装置であって、
前記栽培プレートは、前記栽培ベッドの凹部に保持された状態で配置され、かつ前記栽培プレートは、内部に形成した送風路と、前記送風路に空気を供給する吸気口と、栽培植物が配置される上面側に前記送風路に繋がるように形成された排気口とを有し、
前記栽培ベッドは、前記栽培プレートの送風路に空気を導くために空気を取り入れる吸気口と、前記栽培プレートの吸気口に接続可能な排気口とを有し、
さらに、前記栽培プレートの吸気口と栽培ベッドの排気口を接続するために、前記栽培プレートの吸気口を前記栽培ベッドの排気口に弾力性をもって押し付ける弾性部材を備えた植物栽培装置。
【請求項２】
前記栽培ベッドに注入される栽培用の液体は、液面が前記栽培プレートの上面に到達しないように注入されている請求項１に記載の植物栽培装置。
【請求項３】
前記栽培プレートの吸気口は、前記栽培ベッドに注入される栽培用の液体の液面より高い位置に設けられている請求項１に記載の植物栽培装置。
【請求項４】
前記栽培ベッドの排気口の開口径は、前記栽培プレートの吸気口の開口径より大きい請求項１に記載の植物栽培装置。
【請求項５】
前記栽培ベッドは、底部に突起を有するものである請求項１に記載の植物栽培装置。
【請求項６】
前記弾性部材は、ゴムからなるチューブにより構成され、前記チューブは、内部に空気を送り込み、膨らませることにより、前記チューブの弾力性により前記栽培プレートの吸気口を前記栽培ベッドの排気口に押し付け、前記栽培プレートの吸気口と前記栽培ベッドの排気口とを接続するように構成した請求項１に記載の植物栽培装置。
【手続補正２】
【補正対象書類名】明細書
【補正対象項目名】発明の名称
【補正方法】変更
【補正の内容】
【発明の名称】植物栽培装置
【手続補正３】
【補正対象書類名】明細書
【補正対象項目名】０００５
【補正方法】変更
【補正の内容】
【０００５】
本開示の植物栽培装置は、栽培用の液体が注入される断面形状が凹形状の凹部を有する栽培ベッドに栽培プレートを配置して構成した栽培ユニットを有する植物栽培装置であって、前記栽培プレートは、前記栽培ベッドの凹部に保持された状態で配置され、かつ前記栽培プレートは、内部に形成した送風路と、前記送風路に空気を供給する吸気口と、栽培植物が配置される上面側に前記送風路に繋がるように形成された排気口とを有し、前記栽培ベッドは、前記栽培プレートの送風路に空気を導くために空気を取り入れる吸気口と、前記栽培プレートの吸気口に接続可能な排気口とを有し、さらに、前記栽培プレートの吸気口と栽培ベッドの排気口を接続するために、前記栽培プレートの吸気口を前記栽培ベッドの排気口に弾力性をもって押し付ける弾性部材を備えた。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
栽培空間に配置され、栽培ベッドの上部に栽培プレートを配置して構成した栽培ユニットを複数有する栽培棚と、
前記栽培空間の上方に配置され、前記栽培棚に向けて空気流を送風する空調機器と、
前記空調機器から送風される空気流を前記栽培棚の側面に導く誘引ファンと、
前記複数の栽培ユニットに配置され、前記栽培棚の側面から空気流を吸引する吸引設備と、を備え、
前記栽培ベッドは、前記吸引設備により空気流が導入される吸気口と、前記空気流を前記栽培プレートへ導く排気口とを備え、
前記栽培プレートは、内部に形成した送風路と、前記栽培ベッドの排気口から導入される空気流を前記送風路に供給する吸気口と、栽培植物が配置される上面側に前記送風路に繋がるように形成され、前記植物の下方から空気流を当てる排気口とを備える植物栽培装置。
【請求項２】
前記空気流は冷気である請求項１に記載の植物栽培装置。
【請求項３】
前記誘引ファンは前記空気流を上方へ導く請求項１に記載の植物栽培装置。
【請求項４】
前記栽培空間内に、前記栽培棚が複数並列に配置され、
前記空調機器は、前記複数の栽培棚の隙間に前記空気流が流れるように配置される請求項１に記載の植物栽培装置。
【手続補正２】
【補正対象書類名】明細書
【補正対象項目名】発明の名称
【補正方法】変更
【補正の内容】
【発明の名称】植物栽培装置
【手続補正３】
【補正対象書類名】明細書
【補正対象項目名】０００６
【補正方法】変更
【補正の内容】
【０００６】
第１の目的を達成するため本開示の植物栽培装置は、栽培空間に配置され、栽培ベッドの上部に栽培プレートを配置して構成した栽培ユニットを複数有する栽培棚と、前記栽培空間の上方に配置され、前記栽培棚に向けて空気流を送風する空調機器と、前記空調機器から送風される空気流を前記栽培棚の側面に導く誘引ファンと、前記複数の栽培ユニットに配置され、前記栽培棚の側面から空気流を吸引する吸引設備と、を備え、前記栽培ベッドは、前記吸引設備により空気流が導入される吸気口と、前記空気流を前記栽培プレートへ導く排気口とを備え、前記栽培プレートは、内部に形成した送風路と、前記栽培ベッドの排気口から導入される空気流を前記送風路に供給する吸気口と、栽培植物が配置される上面側に前記送風路に繋がるように形成され、前記植物の下方から空気流を当てる排気口とを備える。
【手続補正４】
【補正対象書類名】明細書
【補正対象項目名】０００７
【補正方法】変更
【補正の内容】
【０００７】
また、第２の目的を達成するため本開示の植物栽培装置は、前記誘引ファンは前記空気流を上方へ導く。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
発電体が収容された電池容器にガス排出弁を設けた二次電池において、
前記ガス排出弁は、区画された複数の弁素片を有し、
前記弁素片は、それぞれが前記電池容器の外方に膨出した受圧部と、前記受圧部と前記電池容器の間に設けられた外周接続部と、前記複数の弁素片の前記受圧部同士の間に設けられた内側接続部とを有し、
前記外周接続部および前記内側接続部は、凹部であり、
前記外周接続部と前記内側接続部には、それぞれ前記受圧部よりも薄く、かつ、均一の厚みを有する薄肉部が形成され、
前記凹部である前記外周接続部の底部および前記凹部である前記内側接続部の底部は、それぞれ平面状に形成された二次電池。
【請求項２】
請求項１に記載の二次電池において、
前記ガス排出弁は、楕円形状または凸多角形状であり、
前記内側接続部は、前記楕円形状または凸多角形状のガス排出弁の短軸、長軸両方向について対称形状である二次電池。
【請求項３】
請求項２に記載の二次電池において、
前記ガス排出弁は、外周部が前記電池容器に接続され、弁体を含み、
前記弁体は、複数の前記弁素片を有する二次電池。
【請求項４】
請求項３に記載の二次電池において、
前記複数の弁素片の前記受圧部同士は、前記内側接続部に形成された前記薄肉部を介して接続されている二次電池。
【請求項５】
請求項４に記載の二次電池において、
前記弁素片の各々の外周接続部に形成した薄肉部は、前記電池容器の内圧を受けた前記受圧部が電池容器外方へ変形する際の軸部として機能する変形促進部であることを特徴とする二次電池。
【請求項６】
請求項５に記載の二次電池において、
前記各弁素片の内側接続部は、隣接する受圧部の周縁が前記電池容器の内側に突出して互いに接続された部位であり、前記電池容器の内圧で電池容器の外方へ開裂力が働くことを特徴とする二次電池。
【請求項７】
請求項５または６に記載の二次電池において、
前記各弁素片には、前記変形促進部が一対形成されることを特徴とする二次電池。
【請求項８】
請求項５から７までのいずれか一項に記載の二次電池において、
前記弁体には、前記弁素片が変形する過程において、前記内側接続部から前記外周接続部への開裂の進展速度を遅延させる遅延部がさらに設けられていることを特徴とする二次電池。
【請求項９】
請求項８に記載の二次電池において、
前記遅延部は、隣接する弁素片に形成された前記変形促進部の間に設けられることを特徴とする二次電池。
【請求項１０】
請求項１から９までのいずれか一項に記載の二次電池において、
前記発電体は、セパレータを介して正極板と負極板を捲回した捲回群を含み、
前記電池容器内には電解液が充填されていることを特徴とする二次電池。
【請求項１１】
請求項１０に記載の二次電池において、
前記電池容器は、扁平形状のケースと、前記ケースの開口端を塞ぐ蓋とを含み、前記ガス排出弁は前記蓋に設けられていることを特徴とする二次電池。
【手続補正２】
【補正対象書類名】明細書
【補正対象項目名】０００６
【補正方法】変更
【補正の内容】
【０００６】
本発明の一態様による二次電池は、発電体が収容された電池容器にガス排出弁を設けた二次電池において、ガス排出弁は、区画された複数の弁素片を有し、弁素片は、それぞれが電池容器の外方に膨出した受圧部と、受圧部と電池容器の間に設けられた外周接続部と、複数の弁素片の受圧部同士の間に設けられた内側接続部とを有し、外周接続部および内側接続部は、凹部であり、外周接続部と内側接続部には、それぞれ受圧部よりも薄く、かつ、均一の厚みを有する薄肉部が形成され、凹部である外周接続部の底部および凹部である内側接続部の底部は、それぞれ平面状に形成されている。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
光源取付面の中心に貫通孔を有する本体と、
基板と、前記基板に実装されたＬＥＤ（Light Emitting Diode）素子を有し、前記光源取付面の前記貫通孔の周囲に取り付けられた複数のＬＥＤモジュールと、
前記本体の光源取付面とは反対側に形成された複数の放熱フィンと、
を備え、
前記ＬＥＤモジュールに電力を供給するためのケーブルは、前記光源取付面の前記貫通孔を介して配線されていることを特徴とするＬＥＤ照明器具。
【請求項２】
前記ＬＥＤモジュールを点灯させる電源ユニットは、放熱フィンに形成されたネジ孔を介して取り付けられていることを特徴とする請求項１記載のＬＥＤ照明器具。
【請求項３】
前記ＬＥＤモジュールは、コネクタをさらに有し、前記コネクタは、前記基板の前記貫通孔側に設けられていることを特徴とする請求項１または２に記載のＬＥＤ照明器具。
【手続補正２】
【補正対象書類名】明細書
【補正対象項目名】０００５
【補正方法】変更
【補正の内容】
【０００５】
本発明の一態様によれば、光源取付面の中心に貫通孔を有する本体と、基板と、前記基板に実装されたＬＥＤ（Light Emitting Diode）素子を有し、前記光源取付面の前記貫通孔の周囲に取り付けられた複数のＬＥＤモジュールと、前記本体の光源取付面とは反対側に形成された複数の放熱フィンと、を備え、前記ＬＥＤモジュールに電力を供給するためのケーブルは、前記光源取付面の前記貫通孔を介して配線されていることを特徴とするＬＥＤ照明器具が提供される。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
少なくとも、基材層と、金属層と、絶縁層と、シーラント層とがこの順に積層された積層体からなり、
前記絶縁層は、不飽和カルボン酸またはその酸無水物と（メタ）アクリル酸エステルとで変性された変性ポリプロピレン系樹脂と、硬化剤とを含む樹脂組成物の硬化物であり、
前記硬化剤は、イソホロンジイソシアネート、ヘキサメチレンジイソシアネート、トリレンジイソシアネート、ジフェニルメタンジイソシアネート、これらをポリマー化またはヌレート化したもの、ビスフェノールＡジグリシジルエーテル、変性ビスフェノールＡジグリシジルエーテル、ノボラックグリシジルエーテル、グリセリンポリグリシジルエーテル、及びポリグリセリンポリグリシジルエーテルからなる群から選択された少なくとも１種である、電池用包装材料。
【請求項２】
前記変性ポリプロピレン系樹脂は、ホモポリプロピレン及びプロピレン共重合体の少なくとも一方のプロピレン系樹脂が、前記不飽和カルボン酸またはその酸無水物と（メタ）アクリル酸エステルとで変性されたものである、請求項１に記載の電池用包装材料。
【請求項３】
前記絶縁層の厚みが、０．１μｍ〜２０μｍである、請求項１または２に記載の電池用包装材料。
【請求項４】
前記変性ポリプロピレン系樹脂におけるプロピレン単位の割合が、５０モル％〜１００モル％である、請求項１〜３のいずれかに記載の電池用包装材料。
【請求項５】
前記変性ポリプロピレン系樹脂におけるプロピレン単位の割合が、８０モル％〜１００モル％である、請求項１〜４のいずれかに記載の電池用包装材料。
【請求項６】
前記硬化剤は、２種類以上の化合物により構成されている、請求項１〜５のいずれかに記載の電池用包装材料。
【請求項７】
前記樹脂組成物において、前記硬化剤の含有量は、前記変性ポリプロピレン系樹脂１００質量部に対して、０．１質量部〜５０質量部の範囲にある、請求項１〜６のいずれかに記載の電池用包装材料。
【請求項８】
前記金属層がアルミニウム箔により形成されている、請求項１〜７のいずれかに記載の電池用包装材料。
【請求項９】
正極、負極、及び電解質を備えた電池素子が、請求項１〜８のいずれかに記載の電池用包装材料により封止されてなる、電池。
【請求項１０】
少なくとも、基材層と、金属層と、絶縁層と、シーラント層とをこの順に積層して積層体を得る工程を備え、
前記工程において、不飽和カルボン酸またはその酸無水物と（メタ）アクリル酸エステルとで変性された変性ポリプロピレン系樹脂と、硬化剤とを含む樹脂組成物から前記絶縁層を形成し、
前記硬化剤は、イソホロンジイソシアネート、ヘキサメチレンジイソシアネート、トリレンジイソシアネート、ジフェニルメタンジイソシアネート、これらをポリマー化またはヌレート化したもの、ビスフェノールＡジグリシジルエーテル、変性ビスフェノールＡジグリシジルエーテル、ノボラックグリシジルエーテル、グリセリンポリグリシジルエーテル、及びポリグリセリンポリグリシジルエーテルからなる群から選択された少なくとも１種である、請求項１〜８のいずれかに記載の電池用包装材料の製造方法。
【請求項１１】
前記工程後に、前記積層体を前記シーラント層の融点以上の温度で加熱する工程をさらに備える、請求項１０に記載の製造方法。
【手続補正書】
【提出日】平成28年7月5日(2016.7.5)
【手続補正１】
【補正対象書類名】明細書
【補正対象項目名】００３１
【補正方法】変更
【補正の内容】
【００３１】
上記第３発明では、第１発明及び第２発明のように複数の衝突誘起解離ガス圧について質量較正情報を記憶するのでなく、ユーザが指定した衝突誘起解離ガス圧に関する質量較正情報のみを較正情報記憶手段に記憶し、該衝突誘起解離ガス圧による目的試料のＭＳ／ＭＳ分析をする際に、該質量較正情報を用いた質量較正を実行する。このような構成によれば、保持しておくべき質量較正情報の量が一層少なくて済むという利点がある。なお、前記「ユーザより指定された衝突誘起解離ガス圧下で前記コリジョンセルにおける前記プリカーサイオンの解離を伴う分析を行って取得された、質量電荷比と較正値との関係を示す質量較正情報」は、前記「ユーザより指定された衝突誘起解離ガス圧下」で、ユーザが指定した一つの測定モードによる分析を行って得られたものであってもよく、あるいは前記「ユーザより指定された衝突誘起解離ガス圧下」で種々の測定モードによる分析を行って取得されたものであってもよい。前者の場合、制御手段は前記一つの測定モードによる分析を行って得られた質量較正情報を前記較正情報記憶手段から読み出し、該情報に基づいて前段四重極及び後段四重極をそれぞれ駆動するものとする。一方、後者の場合、較正情報記憶手段に記憶される質量較正情報は、前記「ユーザより指定された衝突誘起解離ガス圧」下における質量電荷比と較正値との関係を測定モード毎に記述したものとなるため、制御手段は実行されるＭＳ／ＭＳ分析の測定モードに応じた質量較正情報を前記較正情報記憶手段から読み出し、該情報に基づいて前段四重極及び後段四重極をそれぞれ駆動するものとする。
【手続補正２】
【補正対象書類名】明細書
【補正対象項目名】００３８
【補正方法】変更
【補正の内容】
【００３８】
本実施例の三連四重極型質量分析装置は、図示しない真空ポンプにより真空排気される分析室１１の内部に、測定対象である試料をイオン化するイオン源１２と、それぞれ４本のロッド電極から成る前段四重極マスフィルタ（前段四重極）１３及び後段四重極マスフィルタ（後段四重極）１６と、内部に多重極型イオンガイド１５が配設されたコリジョンセル１４と、イオンを検出してイオン量に応じた検出信号を出力する検出器１７と、を備える。流路切替部１０は、例えば図示しないガスクロマトグラフから供給される測定対象である試料と較正・調整用の標準試料とを切り替えてイオン源１２に供給する。標準試料としては、ＰＥＧ（ポリエチレングリコール）、ＴＦＡ（トリフルオロ酢酸）、ＰＦＴＢＡ（パーフルオロトリブチルアミン）など、様々な化合物を用いることができる。試料が気体である場合にはイオン源１２としてＥＩ（電子イオン化）法、ＣＩ（化学イオン化）法などによる試料のイオン化を行うものが用いられ、試料が液体である場合には、イオン源１２としてＥＳＩ（エレクトロスプレーイオン化）法、ＡＰＣＩ（大気圧化学イオン化）法、ＡＰＰＩ（大気圧光イオン化）法などの大気圧イオン化法による試料のイオン化を行うものが用いられる。なお、大気圧イオン化法による試料のイオン化を行う場合には、イオン源１２は分析室１１の外部に設けられ、該イオン源１２については上記真空ポンプによる真空排気は行わない構成とされる。この場合、イオン源１２と分析室１１の間には脱溶媒部が設けられ、イオン源１２で生成されたイオンは該脱溶媒部を介して分析室１１に導入される。
【手続補正３】
【補正対象書類名】明細書
【補正対象項目名】００６５
【補正方法】変更
【補正の内容】
【００６５】
また制御部２０は、質量較正テーブル記憶部２２に保持されているＱ３スキャン用質量較正テーブルセット２２Ｂ２の中でＣＩＤガス圧200kPaに対応した質量較正テーブルを参照し、指定されたスキャン速度2000u/sに対応する較正値を読み出す。すなわち、図４下段のテーブルにおける５行目の較正値（-0.79, -0.69, -0.48,…）である。そして、制御部２０は、読み出した較正値を用いてＱ３電源部２７を制御し、後段四重極１６においてスキャン速度2000u/sで質量電荷比範囲m/z70〜1300の質量スキャンが繰り返されるようにする。
【手続補正書】
【提出日】平成28年6月9日(2016.6.9)
【手続補正１】
【補正対象書類名】明細書
【補正対象項目名】００２１
【補正方法】変更
【補正の内容】
【００２１】
この構成では、例えばユーザが第１乃至第３の分析モードのいずれかを指定して実行開始を指示すると、制御部は指定された分析モードを実行するように各部の動作を制御する。その結果、高エネルギＣＩＤによるＭＳ／ＭＳ分析、低エネルギＣＩＤによるＭＳn分析、低エネルギＣＩＤと高エネルギＣＩＤとの組み合わせによるＭＳn分析を選択的に且つ自動的に実施することができる。なお、第２及び第３の分析モードにおけるイオントラップでの低エネルギＣＩＤの繰り返し実行回数はユーザが適宜に指定できるようにしておくとよい。
【手続補正２】
【補正対象書類名】明細書
【補正対象項目名】００４４
【補正方法】変更
【補正の内容】
【００４４】
また、低エネルギＣＩＤモードでは、イオントラップ２内でのプリカーサイオンの選択及び分離操作（図３（ｂ）参照）と低エネルギＣＩＤによる解離操作（図３（ｃ）参照）とを１回のみでなく、複数回繰り返すことができる。例えば、これら操作を２回繰り返したあとにイオントラップ２からプロダクトイオンを射出させることで、低エネルギＣＩＤによるＭＳ3分析を行うことができる。なお、原理的には、ｎの制限のないＭＳn分析を行うことができるが、実際にはプリカーサイオンの選択と解離操作とを繰り返すとイオンの量が減っていくため、感度の観点からｎの値は５程度が限界である。
【手続補正３】
【補正対象書類名】明細書
【補正対象項目名】００４６
【補正方法】変更
【補正の内容】
【００４６】
［低エネルギＣＩＤ-高エネルギＣＩＤ組み合わせモード］
図４（ａ）〜（ｃ）及び図５（ｄ）〜（ｅ）は、本実施例の質量分析装置における低エネルギＣＩＤ-高エネルギＣＩＤ組み合わせモードの動作を説明する概略図である。
低エネルギＣＩＤ-高エネルギＣＩＤ組み合わせモードでは、第２ガスバルブ７は開放され、第１ガスバルブ６も所定のタイミングで開放される。これにより、ガス供給源５からコリジョンセル３内にＣＩＤガスが供給され、コリジョンセル３内のガス圧はその周囲の真空チャンバ内よりも高くなる。一方、ガス供給源５からイオントラップ２内にＣＩＤガスが供給されると、イオントラップ２内のガス圧はその周囲の真空チャンバ内よりも高くなる。
【手続補正４】
【補正対象書類名】明細書
【補正対象項目名】００４９
【補正方法】変更
【補正の内容】
【００４９】
そして、所定時間、低エネルギＣＩＤを実施して十分な量のプロダクトイオンをイオントラップ２内に捕捉したあとに、制御部１１からの指示の下に、補助電圧発生部９からエンドキャップ電極２２、２４に所定の交流電圧を印加することで、所定の質量電荷比を持つイオン又は所定の質量電荷比範囲に含まれるイオンのみをプリカーサイオンとして選択的にイオントラップ２内に残す（図５（ｄ）参照）。このときには、低エネルギＣＩＤによって生成されたプロダクトイオンのうちの一部が、次のＣＩＤのためのプリカーサイオンとしてイオントラップ２に捕捉される。